【手続補正書】
【提出日】平成21年2月13日(2009.2.13)
【手続補正１】
【補正対象書類名】特許請求の範囲
【補正対象項目名】全文
【補正方法】変更
【補正の内容】
【特許請求の範囲】
【請求項１】
クライアントによってアクセスされたメディア項目に関連付けられたメタデータを識別する方法であって、前記方法が、
複数のユーザによりアップロードされる複数の候補ベースデジタルオーディオ識別子から、メディア項目に対応する信頼できるベースデジタルオーディオ識別子を作成する段階であって、前記候補ベースデジタルオーディオ識別子の各々は、前記メディア項目に対応する既知の識別子とともにアップロードされる、ベースデジタルオーディオ識別子を作成する段階と、
前記メディア項目に関連付けられ、該メディア項目にアクセスするクライアントからアップロードされる少なくとも１つの見本デジタルオーディオ識別子を受け取る段階と、
前記見本デジタルオーディオ識別子を前記作成された信頼できるベースデジタルオーディオ識別子にマッチングさせる段階と、
前記マッチングされた信頼できるベースデジタルオーディオ識別子に関連付けられたメタデータを検索する段階と、
前記検索されたメタデータを前記クライアントに戻す段階と、
を含む方法。
【請求項２】
前記見本デジタルオーディオ識別子を受け取る段階は、前記クライアントから前記メディア項目に関連付けられた少なくとも所定の数の見本デジタルオーディオ識別子を取得する段階を含む、
ことを特徴とする請求項１に記載の方法。
【請求項３】
前記所定の数の見本デジタルオーディオ識別子を取得する段階は、前記メディア項目の最初から第１の時間間隔において前記所定の数の見本デジタルオーディオ識別子のうちの１つを収集する段階と、残りの見本デジタルオーディオ識別子の各々を互いからのオフセットにおいて収集する段階とを含む、
ことを特徴とする請求項２に記載の方法。
【請求項４】
前記メディア項目に関連付けられた前記所定の数の見本デジタルオーディオ識別子を取得する段階は、前記見本デジタルオーディオ識別子を、信頼できるデジタルオーディオ識別子データベースにアップロードされたメタデータ照会に束ねる段階を含む、
ことを特徴とする請求項２に記載の方法。
【請求項５】
前記見本デジタルオーディオ識別子を受け取る段階は、単一のＣＤから複数のメディア項目に関連付けられた複数の見本デジタルオーディオ識別子を受け取る段階を含む、
ことを特徴とする請求項４に記載の方法。
【請求項６】
単一のＣＤから複数のメディア項目に関連付けられた複数の見本デジタルオーディオ識別子を受け取る前記段階は更に、前記ＣＤの各メディア項目の最初から第１の時間間隔において、次いでその後に前記それぞれの第１時間間隔からのオフセットにおいて、前記複数の見本デジタルオーディオ識別子を収集する段階を含む、
ことを特徴とする請求項５に記載の方法。
【請求項７】
前記マッチングの正確さを検証するために、前記メディア項目に関連付けられた信頼できる確認デジタルオーディオ識別子を前記クライアントに戻す段階を更に含む、
ことを特徴とする請求項１に記載の方法。
【請求項８】
前記信頼できる確認デジタルオーディオ識別子が前記メディア項目の見本確認デジタルオーディオ識別子にマッチングしないことを前記クライアントが判断したときに前記クライアントから失敗通知を受け取る段階を更に含む、
ことを特徴とする請求項７に記載の方法。
【請求項９】
前記信頼できるベースデジタルオーディオ識別子に関連付けられた前記受け取られた失敗通知をログ記録する段階と、前記ログ記録が少なくとも所定の数の失敗通知をログ記録している場合に前記信頼できるベースデジタルオーディオ識別子が不正確にマッチングされていると判断する段階と、
を更に含むことを特徴とする請求項８に記載の方法。
【請求項１０】
前記見本デジタルオーディオ識別子が前記信頼できるベースデジタルオーディオ識別子に正確にマッチングされなかったときに新しい信頼できるベースデジタルオーディオ識別子を作成するために複数のユーザから前記メディア項目に対する更なる候補ベースデジタルオーディオ識別子をアップロードする段階を更に含む、
ことを特徴とする請求項９に記載の方法。
【請求項１１】
前記信頼できるベースデジタルオーディオ識別子に関する前記検索されたメタデータを前記クライアントからアップロードされたメディア項目に関連付けられたメタデータと比較して、前記検索されたメタデータの正確さを判断する段階を更に含む、
ことを特徴とする請求項１に記載の方法。
【請求項１２】
クライアントによってアクセスされたメディア項目に関連付けられたメタデータを識別するためのコンピュータ実行可能命令を有する１つ又は複数のコンピュータ可読記憶媒体であって、前記コンピュータ実行可能命令が、
複数のユーザによりアップロードされる複数の候補ベースデジタルオーディオ識別子から、メディア項目に対応する信頼できるベースデジタルオーディオ識別子を作成するためのアップロード命令であって、前記候補ベースデジタルオーディオ識別子の各々は、前記メディア項目に対応する既知の識別子とともにアップロードされる、アップロード命令と、
前記メディア項目にアクセスしているクライアントからアップロードされ且つ前記メディア項目に関連付けられた少なくとも１つの見本デジタルオーディオ識別子を受け取るための受け取り命令と、
前記見本デジタルオーディオ識別子を前記作成された信頼できるベースデジタルオーディオ識別子にマッチングさせるためのマッチング命令と、
前記マッチングされた信頼できるベースデジタルオーディオ識別子に関連付けられたメタデータを検索するための検索命令と、
前記検索されたメタデータを前記クライアントに戻すためのリターン命令と、
を含む段階を実施することを特徴とするコンピュータ可読記憶媒体。
【請求項１３】
前記コンピュータ実行可能命令の前記受け取り命令が更に、
前記クライアントから前記メディア項目に関連付けられた少なくとも所定の数の見本デジタルオーディオ識別子を取得するための取得命令を含む、
ことを特徴とする請求項１２に記載のコンピュータ可読記憶媒体。
【請求項１４】
前記コンピュータ実行可能命令の前記取得命令が更に、
前記メディア項目の最初から第１の時間間隔において前記見本デジタルオーディオ識別子の１つを収集し、更に残りの見本デジタルオーディオ識別子の各々を互いからのオフセットにおいて収集するための収集命令を含む、
ことを特徴とする請求項１３に記載のコンピュータ可読記憶媒体。
【請求項１５】
前記コンピュータ実行可能命令の前記取得命令が更に、
前記識別子を信頼できるデジタルオーディオ識別子データベースにアップロードされたメタデータ照会に束ねるためのバンドリング命令を含む、ことを特徴とする請求項１３に記載のコンピュータ可読記憶媒体。
【請求項１６】
前記マッチングの正確さを検証するために前記メディア項目に関連付けられた信頼できる確認デジタルオーディオ識別子を前記クライアントに戻すためのリターン命令を更に含む、
ことを特徴とする請求項１２に記載のコンピュータ可読記憶媒体。
【請求項１７】
前記信頼できる確認デジタルオーディオ識別子が前記メディア項目の見本確認デジタル
オーディオ識別子にマッチングしないことを前記クライアントが判断したときに前記クライアントから失敗通知を受け取るための受け取り命令を更に含む、
ことを特徴とする請求項１６に記載のコンピュータ可読記憶媒体。
【請求項１８】
前記信頼できるベースデジタルオーディオ識別子に関連付けられた前記受け取られた失敗通知をログ記録するためのログ記録命令と、
前記ログ記録が少なくとも所定の数の失敗通知をログ記録している場合に前記信頼できるベースデジタルオーディオ識別子が不正確にマッチングされていると判断するための決定命令と、を更に含む、
ことを特徴とする請求項１７に記載のコンピュータ可読記憶媒体。
【請求項１９】
前記アップロード命令が、さらに、前記見本デジタルオーディオ識別子が前記信頼できるベースデジタルオーディオ識別子に正確にマッチングされていないときに新しい信頼できるベースデジタルオーディオ識別子を作成するために複数のユーザから前記メディア項目に対して更なる候補ベースデジタルオーディオ識別子をアップロードするためのものである、
ことを特徴とする請求項１８に記載のコンピュータ可読記憶媒体。
【請求項２０】
前記検索されたメタデータの正確さを判断するために前記信頼できるベースデジタルオーディオ識別子に関する前記検索されたメタデータを前記クライアントからアップロードされた前記メディア項目に関連付けられたメタデータと比較するための比較命令を更に含む、
ことを特徴とする請求項１２に記載のコンピュータ可読記憶媒体。